(57)【要約】      （修正有）【課題】仕切り壁の使用場面に応じた適切な照明を実現することについて有効な提案がなされていないのが実情であった。仕切り壁の使用場面に応じた適切な照明を実現することができる仕切り壁を提供する。【解決手段】発光面２０ａを有し、前記発光面のうち光が射出される射出領域を変更可能な発光装置２０を備える、仕切り壁１。発光装置は、少なくとも１つの光源３０と、発光面と発光面の反対側に位置する発光装置の反対面との間で光源を複数の位置のいずれかに保持する少なくとも１つの保持部４Ａ〜Ｃと、を備える。【選択図】図１
2020125626.tif 000002
【特許請求の範囲】
【請求項１】
移動可能な仕切り壁であって、
発光面を有し、前記発光面のうち光が射出される射出領域を変更可能な発光装置を備える、仕切り壁。
【請求項２】
前記発光装置は、
少なくとも１つの光源と、
前記発光面と前記発光面の反対側に位置する前記発光装置の反対面との間で前記光源を複数の位置のいずれかに保持する少なくとも１つの保持部と、を備える、請求項１に記載の仕切り壁。
【請求項３】
前記保持部は、前記発光面に沿って間隔を空けて複数配置されている、請求項２に記載の仕切り壁。
【請求項４】
前記保持部は、前記発光面と前記反対面との間の空間内に設けられた凹部を含む、請求項２または３に記載の仕切り壁。
【請求項５】
前記保持部は、前記発光面の第１の側端と前記反対面の第１の側端との間に位置する前記仕切り壁の側壁の内面に配置されている、請求項３に記載の仕切り壁。
【請求項６】
前記保持部は、前記光源の端部を保持する凹部が設けられている、請求項５に記載の仕切り壁。
【請求項７】
前記保持部は、前記凹部の内面に、前記光源を電源に接続する電極を有する、請求項６に記載の仕切り壁。
【請求項８】
前記発光面の第２の側端と前記反対面の第２の側端との間に、前記凹部内への前記光源の端部の差し込みを許容する開口部が設けられている、請求項４、６または７のいずれか１項に記載の仕切り壁。
【請求項９】
前記開口部を塞ぐ蓋部を更に備える、請求項８に記載の仕切り壁。
【請求項１０】
前記光源は、前記複数の保持部のうちの第１の保持部に保持され、
前記発光装置は、前記複数の保持部のうちの第２の保持部に保持され、前記光源から到達した光の透過率を制御する透過率制御部材を更に備える、請求項３に記載の仕切り壁。
【請求項１１】
前記透過率制御部材は、前記光源から到達した光の透過を防止する遮光フィルタである、請求項１０に記載の仕切り壁。
【請求項１２】
前記透過率制御部材は、前記光源から到達した光の透過率の波長分布を制御する、請求項１０に記載の仕切り壁。
【請求項１３】
前記透過率制御部材は、前記光源から到達した光の透過率の波長分布を前記発光面内で異ならせる、請求項１２に記載の仕切り壁。
【請求項１４】
前記光源は、前記複数の保持部のうちの２つ以上の保持部に保持されるように２つ以上存在し、
前記仕切り壁は、前記２つ以上の光源の間で発光させる光源を切り替える制御部を更に備える、請求項３に記載の仕切り壁。
【請求項１５】
前記保持部は、前記発光面に沿って前記光源を移動可能な移動機構を備える、請求項２に記載の仕切り壁。
【請求項１６】
前記反対面は、第２の発光面である、請求項２〜１５のいずれか１項に記載の仕切り壁。
【請求項１７】
前記反対面側に反射板が設けられている、請求項２〜１５のいずれか１項に記載の仕切り壁。
【請求項１８】
前記反対面は、導光層を挟んで前記発光面に対向している、請求項２〜１７のいずれか１項に記載の仕切り壁。
【請求項１９】
前記光源は、複数の発光体と、前記発光体を支持する基板と、を備え、
前記光源の端部は、前記基板の端部である、請求項６に記載の仕切り壁。
【請求項２０】
前記発光装置は、前記発光面を覆う化粧シートを備える、請求項１〜１９のいずれか１項に記載の仕切り壁。
【請求項２１】
前記発光面の或る位置からの出射光量は、当該位置よりも一軸方向における一方の側に位置する前記発光面の他の或る位置からの出射光量よりも少ない、請求項１〜２０のいずれか１項に記載の仕切り壁。
【請求項２２】
前記保持部は、前記光源が載置される載置部を備える、請求項２に記載の仕切り壁。
【請求項２３】
前記保持部は、前記光源を前記載置部側に押圧する押圧部を更に備える、請求項２２に記載の仕切り壁。
【発明の詳細な説明】
【技術分野】
【０００１】
本開示は、仕切り壁に関する。
【背景技術】
【０００２】
従来から、空間を区画する仕切り壁に関する種々の技術が提案されている。例えば、特許文献１では、間接照明を使った演出性の高い室内空間を提供することを目的とした仕切り壁が提案されている。特許文献１に開示された仕切り壁は、仕切り壁の本体の周縁部に間接照明用の照明器具を内蔵して構成されている。
【先行技術文献】
【特許文献】
【０００３】
【特許文献１】特開２０００−５４５３３号公報
【発明の概要】
【発明が解決しようとする課題】
【０００４】
しかしながら、特許文献１においては、仕切り壁の使用場面に応じた適切な照明を実現することについて有効な提案がなされていないのが実情であった。
【０００５】
本開示は、以上の点を考慮してなされたものであり、仕切り壁の使用場面に応じた適切な照明を実現することができる仕切り壁を提供することを目的とする。
【課題を解決するための手段】
【０００６】
本開示による仕切り壁は、
移動可能な仕切り壁であって、
発光面を有し、前記発光面のうち光が射出される射出領域を変更可能な発光装置を備える。
【０００７】
本開示による仕切り壁において、
前記発光装置は、
少なくとも１つの光源と、
前記発光面と前記発光面の反対側に位置する前記発光装置の反対面との間で前記光源を複数の位置のいずれかに保持する少なくとも１つの保持部と、を備えていてもよい。
【０００８】
本開示による仕切り壁において、
前記保持部は、前記発光面に沿って間隔を空けて複数配置されていてもよい。
【０００９】
本開示による仕切り壁において、
前記保持部は、前記発光面と前記反対面との間の空間内に設けられた凹部を含んでいてもよい。
【００１０】
本開示による仕切り壁において、
前記保持部は、前記発光面の第１の側端と前記反対面の第１の側端との間に位置する前記仕切り壁の側壁の内面に配置されていてもよい。
【００１１】
本開示による仕切り壁において、
前記保持部は、前記光源の端部を保持する凹部が設けられていてもよい。
【００１２】
本開示による仕切り壁において、
前記保持部は、前記凹部の内面に、前記光源を電源に接続する電極を有していてもよい。
【００１３】
本開示による仕切り壁において、
前記発光面の第２の側端と前記反対面の第２の側端との間に、前記凹部内への前記光源の端部の差し込みを許容する開口部が設けられていてもよい。
【００１４】
本開示による仕切り壁において、
前記開口部を塞ぐ蓋部を更に備えていてもよい。
【００１５】
本開示による仕切り壁において、
前記光源は、前記複数の保持部のうちの第１の保持部に保持され、
前記発光装置は、前記複数の保持部のうちの第２の保持部に保持され、前記光源から到達した光の透過率を制御する透過率制御部材を更に備えていてもよい。
【００１６】
本開示による仕切り壁において、
前記透過率制御部材は、前記光源から到達した光の透過を防止する遮光フィルタであってもよい。
【００１７】
本開示による仕切り壁において、
前記透過率制御部材は、前記光源から到達した光の透過率の波長分布を制御してもよい。
【００１８】
本開示による仕切り壁において、
前記透過率制御部材は、前記光源から到達した光の透過率の波長分布を前記発光面内で異ならせてもよい。
【００１９】
本開示による仕切り壁において、
前記光源は、前記複数の保持部のうちの２つ以上の保持部に保持されるように２つ以上存在し、
前記仕切り壁は、前記２つ以上の光源の間で発光させる光源を切り替える制御部を更に備えていてもよい。
【００２０】
本開示による仕切り壁において、
前記保持部は、前記発光面に沿って前記光源を移動可能な移動機構を備えていてもよい。
【００２１】
本開示による仕切り壁において、
前記反対面は、第２の発光面であってもよい。
【００２２】
本開示による仕切り壁において、
前記反対面側に反射板が設けられていてもよい。
【００２３】
本開示による仕切り壁において、
前記反対面は、導光層を挟んで前記発光面に対向していてもよい。
【００２４】
本開示による仕切り壁において、
前記光源は、複数の発光体と、前記発光体を支持する基板と、を備え、
前記光源の端部は、前記基板の端部であってもよい。
【００２５】
本開示による仕切り壁において、
前記発光装置は、前記発光面を覆う化粧シートを備えていてもよい。
【００２６】
本開示による仕切り壁において、
前記発光面の或る位置からの出射光量は、当該位置よりも一軸方向における一方の側に位置する前記発光面の他の或る位置からの出射光量よりも少なくてもよい。
【００２７】
本開示による仕切り壁において、
前記保持部は、前記光源が載置される載置部を備えていてもよい。
【００２８】
本開示による仕切り壁において、
前記保持部は、前記光源を前記載置部側に押圧する押圧部を更に備えていてもよい。
【発明の効果】
【００２９】
本開示によれば、仕切り壁の使用場面に応じた適切な照明を実現することができる。
【図面の簡単な説明】
【００３０】
【図１】一実施の形態に係る仕切り壁を示す断面図である。
【図２】図１の仕切り壁の正面図である。
【図３】図１の仕切り壁の第１の使用例を示す図である。
【図４】図１の仕切り壁の第２の使用例を示す図である。
【図５】図１の仕切り壁の第３の使用例を示す図である。
【図６】第１の変形例に係る仕切り壁の要部を示す平面図である。
【図７】第２の変形例に係る仕切り壁の要部を示す断面図である。
【図８】第３の変形例に係る仕切り壁を示す正面図である。
【図９】第４の変形例に係る仕切り壁を示す正面図である。
【図１０】第４の変形例に係る仕切り壁に含まれる半透過膜の平面図である。
【図１１】第５の変形例に係る仕切り壁を示す正面図である。
【図１２】第５の変形例に係る仕切り壁に含まれる色フィルタの平面図である。
【図１３】第６の変形例に係る仕切り壁を示す正面図である。
【図１４】第７の変形例に係る仕切り壁を示す正面図である。
【図１５】第８の変形例に係る仕切り壁を示す正面図である。
【図１６】図１５の仕切り壁の第１の動作例を示す図である。
【図１７】図１５の仕切り壁の第２の動作例を示す図である。
【図１８】図１５の仕切り壁の第３の動作例を示す図である。
【図１９】第９の変形例に係る仕切り壁を示す正面図である。
【図２０】第１０の変形例に係る仕切り壁を示す正面図である。
【図２１】第１１の変形例に係る仕切り壁を示す正面図である。
【図２２】第１２の変形例に係る仕切り壁を示す断面図である。
【図２３】図２２の仕切り壁の部分拡大断面図である。
【図２４】第１３の変形例に係る仕切り壁を示す正面図である。
【図２５】第１４の変形例に係る仕切り壁を示す断面図である。
【図２６】第１５の変形例に係る仕切り壁を示す正面図である。
【図２７】第１６の変形例に係る仕切り壁を示す断面図である。
【図２８】第１７の変形例に係る仕切り壁を示す断面図である。
【図２９】第１８の変形例に係る仕切り壁の一部を示す側面側の断面図である。
【図３０】第１８の変形例に係る仕切り壁の一部を示す正面側の断面図である。
【図３１】第１９の変形例に係る仕切り壁の一部を示す側面側の断面図である。
【図３２】第１９の変形例に係る仕切り壁の一部を示す正面側の断面図である。
【図３３】第２０の変形例に係る仕切り壁の一部を示す側面側の断面図である。
【図３４】第２０の変形例に係る仕切り壁の一部を示す正面側の断面図である。
【図３５】第２１の変形例に係る仕切り壁の一部を示す側面側の断面図である。
【図３６】第２１の変形例に係る仕切り壁の一部を示す正面側の断面図である。
【図３７】第２２の変形例に係る仕切り壁の一部を示す斜視図である。
【発明を実施するための形態】
【００３１】
以下、図面を参照して本開示の一実施の形態について説明する。なお、本件明細書に添付する図面においては、図示と理解のしやすさの便宜上、適宜縮尺および縦横の寸法比等を、実物のそれらから変更し誇張してある。
【００３２】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３３】
また、本明細書において、「シート」、「フィルム」、「板」の用語は、呼称の違いのみに基づいて、互いから区別されるものではない。例えば、「板」はシートやフィルムと呼ばれ得るような部材も含む概念である。
【００３４】
図１は、一実施の形態に係る仕切り壁１を示す断面図である。図２は、図１の仕切り壁１の正面図である。本実施の形態に係る仕切り壁１は、移動可能な仕切り壁１であって、床面ｆ上に載置されて第１の空間Ｓ１と第２の空間Ｓ２とを仕切るために用いることができる。以下、図１および図２に示される床面ｆに直交する方向ｄ１を上下方向ｄ１と定義し、図２に示される仕切り壁１の横幅に沿った方向ｄ２を左右方向ｄ２と定義する。
【００３５】
図１に示すように、仕切り壁１は、フレーム１０と、フレーム１０に保持された発光装置２０とを備える。
【００３６】
フレーム１０は、発光装置２０を保持する部材である。フレーム１０は、前壁部１１と、後壁部１２と、上壁部１３と、底壁部１４と、左側壁部１５と、台座１６とを有する。
【００３７】
発光装置２０は、空間Ｓ１に向けて光Ｌを射出することで空間Ｓ１を照明する装置である。発光装置２０は、空間Ｓ１に向けて光Ｌを射出可能な透光性の発光面２０ａを有し、発光面２０ａのうち実際に光Ｌが射出される射出領域Ｚ１を変更可能である。以下、このような発光装置２０の構成について具体的に説明する。
【００３８】
発光装置２０は、光源３０と、複数の保持部４Ａ、４Ｂ、４Ｃと、反射板５０と、透過拡散板６０と、化粧シート７０とを備える。
【００３９】
光源３０は、光Ｌを発光する複数の発光体３１と、発光体３１を支持する基板３２とを有する。発光体３１は、例えば、発光ダイオードによって構成される。図１および図２に示される例において、複数の発光体３１は、基板３２の下面に保持されている。図２に示すように、複数の発光体３１は、基板３２の長手方向である左右方向ｄ２に間隔を空けて配置されている。一例として、各発光体３１は、互いに異なる波長域の光を発光可能な複数種類の発光体３１である。この場合、各発光体３１の出力を調整することで、加法混色により、種々の色の照明光で照明を行うことが可能となる。典型的には、赤色の光を射出可能な発光体３１と、緑色の光を射出可能な発光体３１と、青色の光を射出可能な発光体３１とを含むことで、光Ｌの色を色度図上の全範囲の色から選択可能とすることが可能となる。光源３０は、更に、白色の光を射出可能な発光体３１を含んでもよい。
【００４０】
透過拡散板６０は、発光面２０ａを有し、光源３０から射出された光Ｌを透過および拡散させて発光面２０ａから空間Ｓ１に向けて射出させる部材である。発光面２０ａは、実際に光Ｌが射出される射出領域Ｚ１と、実際に光Ｌが射出されない非射出領域Ｚ２とを有する。射出領域Ｚ１は、例えば、輝度計を用いて後述する化粧シート７０の表面の輝度を計測した場合に、最大輝度に対する輝度差が１％以下の領域として確認することができる。
【００４１】
透過拡散板６０は、フレーム１０の前壁部１１側に設けられている。光源３０から射出された光Ｌは、導光層の一例である空気層８を経た後に透過拡散板６０に入射する。透過拡散板６０は、光拡散機能を有しており、透過光に起因した輝度角度分布を整えることができる。透過拡散板６０で拡散された光Ｌは、発光面２０ａから射出して化粧シート７０に向かう。透過拡散板６０には、光拡散機能を発揮し得る種々の構成を採用することができる。透過拡散板６０が有する拡散特性は、等方性であってもよいし、異方性であってもよい。
【００４２】
透過拡散板６０は、例えば、接着剤によって少なくとも部分的に前壁部１１に接着されて保持されていてもよい。透過拡散板６０から射出された光Ｌを遮光せずに化粧シート７０側に適切に進行させるため、前壁部１１のうち透過拡散板６０が設けられた部分は、例えば、光Ｌが素通りするように開口されている。あるいは、前壁部１１のうち透過拡散板６０が設けられた部分は、光Ｌが透過するようにガラスなどの可視光透過性を有する材料で構成されていてもよい。
【００４３】
反射板５０は、光源３０から射出された光Ｌを透過拡散板６０側に向けて反射させる部材である。反射板５０は、空気層８を挟んで透過拡散板６０と対面するようにフレーム１０の後壁部１２側に設けられている。反射板５０は、発光面２０ａの反対面５０ａを形成する。反射板５０は、光源３０から射出された光Ｌを反射して、透過拡散板６０へ向けることができる。反射板５０を設けることで、発光面２０ａからの出射光量を増大させることができる。これにより、光源３０から射出した光の利用効率を向上させることができる。反射板５０には、光反射機能を発揮し得る種々の構成を採用することができる。反射板５０の反射特性は、正反射であってもよいし、拡散反射であってもよい。反射板５０が有する拡散反射特性は、等方性であってもよいし、異方性であってもよい。反射板５０は、例えば、接着剤によって少なくとも部分的に後壁部１２に接着されて保持されていてもよい。
【００４４】
化粧シート７０は、空間Ｓ１に露出して配置され、仕切り壁１の化粧面を形成する部材である。化粧シート７０は、透過拡散板６０の発光面２０ａを覆うように発光面２０ａに対面して設けられている。化粧シート７０は、可視光透過性を有しており、これにより、空間Ｓ１に接する化粧シート７０の化粧面は、発光面２０ａの射出領域Ｚ１から射出された光Ｌを空間Ｓ１に射出することができる。化粧シート７０は、透過拡散板６０を隠蔽することで、透過拡散板６０が剥き出しの場合と比較して、光の継ぎ目すなわち射出領域Ｚ１と非射出領域Ｚ２との継ぎ目を目立たなくさせることができる。この工夫により、光源３０の存在感を効果的に薄めた状態にて、空間Ｓ１を演出することができ、これにより、空間Ｓ１の雰囲気を更に効果的に高めることができる。また化粧シート７０は、空間Ｓ１が十分明るくて発光させる必要のないときも、それ自体が意匠として空間を演出することができる。
【００４５】
透過拡散板６０から射出された光Ｌの少なくとも一部は、化粧シート７０を透過する。このように化粧シート７０は透過照明されることから、透過率の比較的高い白色系の壁紙を化粧シート７０として好適に用いることができる。ただし、透過率の比較的低い壁紙、例えば木目調の壁紙でも十分有効に透過照明されることができ、化粧シート７０の柄等は特に限定されるものではない。化粧シート７０における可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。化粧シート７０は、接着剤によって少なくとも部分的に透過拡散板６０または前壁部１１に接着されて保持されていてもよい。
【００４６】
複数の保持部４Ａ、４Ｂ、４Ｃは、発光面２０ａと発光面２０ａの反対側に位置する発光装置２０の反対面５０ａとの間で光源３０を複数の位置のいずれかに保持する。
【００４７】
図１および図２に示される例において、複数の保持部４Ａ、４Ｂ、４Ｃは、発光面２０ａに沿って間隔を空けて配置されている。より詳しくは、複数の保持部４Ａ、４Ｂ、４Ｃは、発光面２０ａの左側端と反対面５０ａの左側端との間に位置するフレーム１０の左側壁部１５の長手方向である上下方向ｄ１に間隔を空けて、左側壁部１５の内面１５ａに配置されている。複数の保持部４Ａ、４Ｂ、４Ｃのうち、第１保持部４Ａは、上壁部１３側に配置され、第３保持部４Ｃは、底壁部１４側に配置され、第２保持部４Ｂは、第１保持部４Ａと第３保持部４Ｃとの間に配置されている。
【００４８】
保持部４Ａ、４Ｂ、４Ｃは、発光面２０ａと反対面５０ａとの間の空間すなわち空気層８内に設けられた凹部４ａを含む。凹部４ａは、光源３０の端部である基板３２の左端部３２ａを保持することで、上下方向ｄ１において保持部４Ａ、４Ｂ、４Ｃと同じ位置に光源３０を保持する。
【００４９】
発光面２０ａの右側端と反対面５０ａの右側端との間には、凹部４ａ内への光源３０の左端部３２ａの差し込みを許容する開口部１０ａが設けられている。より詳しくは、フレーム１０は、右端部に右側壁部を有しておらず、右側壁部のかわりに開口部１０ａを有している。開口部１０ａは、フレーム１０に対して着脱可能な蓋部１７によって塞ぐことができる。
【００５０】
図３は、仕切り壁１の第１の使用例を示す図である。図４は、仕切り壁１の第２の使用例を示す図である。図５は、仕切り壁１の第３の使用例を示す図である。
【００５１】
図３〜図５に示すように、仕切り壁１は、光源３０を保持する保持部４Ａ、４Ｂ、４Ｃを変更することで、射出領域Ｚ１を変更することができる。
【００５２】
具体的には、図３に示すように、第１保持部４Ａに光源３０を保持することで、発光面２０ａのうちの上側位置に、図３において灰色で表される射出領域Ｚ１を形成することができる。このように、発光面２０ａのうちの上側位置に射出領域Ｚ１を形成することで、空間Ｓ１全体を遠くまで照明することができる。これにより、例えば、主照明の光量が不十分なため部屋が暗いといった使用場面に応じて、仕切り壁１を、主照明の光量を補充する補助照明として適切に機能させることができる。
【００５３】
また、図４に示すように、第２保持部４Ｂに光源３０を保持することで、発光面２０ａのうちの中間位置に射出領域Ｚ１を形成することができる。このように、発光面２０ａのうちの中間位置に射出領域Ｚ１を形成することで、空間Ｓ１内に設置された机を前にして着席した空間Ｓ１の利用者の手元や目線の位置を選択的に照明することができる。これにより、例えばプロジェクタの使用時のように、主照明を消灯して部屋全体は暗く保ちつつも必要な箇所を省電力で局所的に照明することが求められる使用場面に応じて、適切な照明を実現することが可能となる。
【００５４】
また、図５に示すように、第３保持部４Ｃに光源３０を保持することで、発光面２０ａのうちの下側位置に射出領域Ｚ１を形成することができる。このように、発光面２０ａのうちの下側位置に射出領域Ｚ１を形成することで、足元のみを照明することができる。これにより、夜間において部屋全体の照明は不要でありながら部屋内を移動できるように足元のみを照明することが求められる使用場面に応じて適切な照明を実現することが可能となる。
【００５５】
ここで、移動可能すなわち持ち運び可能な仕切り壁１は、屋内の様々な場所に手軽に設置して使用することができるため、仕切り壁１の照明機能は、仕切り壁１が使用される様々な場所の様々な照明環境、使用目的、時間帯等の使用場面に応じた適切な照明を実現できることが望ましい。本実施の形態に係る仕切り壁１によれば、発光面２０ａのうち光Ｌが射出される射出領域Ｚ１を変更可能な発光装置２０を備えることで、仕切り壁１の使用場面に応じた適切な照明を実現することができる。
【００５６】
また、発光装置２０は、光源３０と、複数の保持部４Ａ、４Ｂ、４Ｃとを備える。このような構成により、光源３０を保持する保持部４Ａ、４Ｂ、４Ｃを変更することで、射出領域Ｚ１を簡便に変更することができる。
【００５７】
また、保持部４Ａ、４Ｂ、４Ｃは、発光面２０ａに沿って間隔を空けて配置されている。このような構成により、光源３０を保持する保持部４Ａ、４Ｂ、４Ｃを変更することで、射出領域Ｚ１を確実に変更することができる。
【００５８】
また、保持部４Ａ、４Ｂ、４Ｃは、光源３０の左端部３２ａを保持する凹部４ａが設けられている。このような構成により。簡易な構成によって光源３０を適切に保持することができる。
【００５９】
また、保持部４Ａ、４Ｂ、４Ｃは、仕切り壁１の左側壁部１５の内面１５ａに配置されている。このような構成により、保持部４Ａ、４Ｂ、４Ｃに対して着脱容易に光源３０を片持ち支持することができるので、射出領域Ｚ１の変更作業を容易化することができる。
【００６０】
また、凹部４ａ内への光源３０の左端部３２ａの差し込みを許容する開口部１０ａが設けられていることで、開口部１０ａを通して凹部４ａに対する光源３０の着脱を容易に行うことができるので、射出領域Ｚ１の変更作業をさらに容易化することができる。
【００６１】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００６２】
（第１の変形例）
図６は、第１の変形例に係る仕切り壁１の要部を示す平面図である。図６に示される例において、保持部４Ａは、凹部４ａの内面に、光源３０を電源制御装置ＣＮＴに接続する端子４２すなわち電極を有する。端子４２は、基板３２の左端部３２ａに設けられた端子３３に接することで、基板３２に設けられた図示しない配線を介して端子３３に接続された発光体３１と、電源制御装置ＣＮＴとを電気的に接続する。すなわち、端子４２は、電源と光源３０とを電気的に接続する。図６に示される保持部４Ａの構成は、他の保持部４Ｂ、４Ｃについても同様である。電源制御装置ＣＮＴは、端子４２、３３を介して光源３０に電源の電力を供給する装置である。電源制御装置ＣＮＴは、仕切り壁１と一体の構成であってもよく、または、仕切り壁１と別体の構成であってもよい。
【００６３】
このような構成によれば、図６の矢印に示される方向から保持部４Ａの凹部４ａ内に光源３０を装着するのと同時に、光源３０を電源に接続することができる。これにより、光源３０と電源との接続を簡便に行うことができる。
【００６４】
（第２の変形例）
図７は、第２の変形例に係る仕切り壁１の要部を示す断面図である。図７に示される例において、保持部４Ａは、基板３２の前端部３２ｂを凹部４ａ内に保持する第１部分４０１と、基板３２の後端部３２ｃを凹部４ａ内に保持する第２部分４０２とを有する。第１部分４０１および第２部分４０２は、基板３２の長手方向に延びている。なお、図７に示される保持部４Ａの構成は、他の保持部４Ｂ、４Ｃについても同様である。
【００６５】
このような構成によれば、レール状の第１部分４０１および第２部分４０２の間に光源３０を安定的に保持することができる。
【００６６】
（第３の変形例）
図８は、第３の変形例に係る仕切り壁１を示す正面図である。図８に示される例において、光源３０は、第１保持部４Ａに保持されている。また、仕切り壁１は、第２保持部４Ｂに保持された遮光フィルタ９１を備える。遮光フィルタ９１は、光源３０から到達した光Ｌの透過率を制御する透過率制御部材の一例であり、光源３０から到達した光Ｌの透過を防止する部材である。遮光フィルタ９１には、金属、プラスチック、木材、ミラーなど、光を吸収もしくは反射して、透過光を減少もしくはカットする部材が用いられる。
【００６７】
このような構成によれば、射出領域Ｚ１の上下方向ｄ１の範囲を確実に制限することができる。
【００６８】
（第４の変形例）
図９は、第４の変形例に係る仕切り壁１を示す正面図である。図１０は、第４の変形例に係る仕切り壁１に含まれる半透過膜９２の模式的な平面図である。図９に示される例において、光源３０は、第１保持部４Ａに保持されている。また、仕切り壁１は、透過率制御部材の一例として、第２保持部４Ｂに保持された半透過膜９２を備える。半透過膜９２は、光源３０から到達した光Ｌを、透過率に応じた光量で透過させる部材である。半透過膜９２には、着色したプラスチックやガラス、金属薄膜や樹脂層などの半透過膜を設けたシート、などが用いられる。
【００６９】
図１０に示される例において、半透過膜９２は、光源３０から到達した光Ｌの透過率分布を発光面２０ａ内で異ならせる。より詳しくは、半透過膜９２は、左右方向ｄ２における中央側に位置し、相対的に透過率が高い第１透過部９２ａと、第１透過部９２ａの左右に位置し、相対的に透過率が低い一対の第２透過部９２ｂとを有する。これにより、半透過膜９２は、発光面２０ａの中央側の光Ｌの透過光量を、発光面２０ａの左右両端側の光Ｌの透過光量よりも多くする。
【００７０】
このような構成によれば、図３〜図５の例の場合よりも射出領域Ｚ１を拡大することができ、また、射出領域Ｚ１の輝度分布を調整することができる。
【００７１】
（第５の変形例）
図１１は、第５の変形例に係る仕切り壁１を示す正面図である。図１２は、第５の変形例に係る仕切り壁１に含まれる色フィルタ９３の模式的な平面図である。図１１に示される例において、光源３０は、第１保持部４Ａに保持されている。また、仕切り壁１は、透過率制御部材の一例として、第２保持部４Ｂに保持された色フィルタ９３を備える。色フィルタ９３は、光源３０から到達した光Ｌの透過率の波長分布を制御する部材である。色フィルタ９３には、着色したプラスチックやガラス、樹脂膜や誘電体多層膜などの着色膜を設けたシートなどが用いられる。
【００７２】
図１２に示される例において、色フィルタ９３は、光源３０から到達した光Ｌの透過率の波長分布を発光面２０ａ内で異ならせる。より詳しくは、色フィルタ９３は、青色の光を透過させる左端部側の第１透過部９３ａと、白色の光を透過させる中央側の第２透過部９３ｂと、赤色の光を透過させる右端部側の第３透過部９３ｃとを有する。これにより、色フィルタ９３は、色フィルタ９３の下方の発光面２０ａから射出される光Ｌの波長すなわち色を、発光面２０ａの左端部側から右端部側に向かうにしたがって青、白、赤と変化させることができる。
【００７３】
このような構成によれば、図３〜図５の例の場合よりも射出領域Ｚ１を拡大することができ、また、射出領域Ｚ１の色度分布を調整することができる。
【００７４】
（第６の変形例）
図１３は、第６の変形例に係る仕切り壁１を示す正面図である。これまでは、保持部４Ａ、４Ｂ、４Ｃによって床面ｆに対して平行になるように光源３０を保持する例について説明した。これに対して、図１３に示すように、保持部４Ａによって床面ｆに対して傾斜するように光源３０を保持してもよい。
【００７５】
（第７の変形例）
図１４は、第７の変形例に係る仕切り壁１を示す正面図である。これまでは、光源３０を保持する保持部４Ａ、４Ｂ、４Ｃを変更することで発光領域Ｚ１を変更する例について説明した。これに対して、図１４に示される仕切り壁１は、凹部４ａが設けられた保持部４Ａ、４Ｂ、４Ｃの替わりに、保持部として、発光面２０ａに沿って上下方向ｄ１に光源３０を移動可能な移動機構４を備える。
【００７６】
図１４に示される例において、移動機構４は、光源３０の左右両端を保持する一対のベルト４１０と、ベルト４１０を上方ｄ１１または下方ｄ１２に巻き上げる複数の巻上機４２０とを有する。巻上機４２０は、例えばモータの動力によってベルト４１０を巻き上げる。このような構成によれば、上方ｄ１１にベルト４１０を巻き上げることで、光源３０および射出領域Ｚ１を上方ｄ１１に移動させることができ、下方ｄ１２にベルト４１０を巻き上げることで、光源３０および射出領域Ｚ１を下方ｄ１２に移動させることができる。
【００７７】
このような構成によれば、移動機構４によって上下方向ｄ１への光源３０の移動量を調整することで、上下方向ｄ１の任意の位置に射出領域Ｚ１を形成することができる。
【００７８】
（第８の変形例）
図１５は、第８の変形例に係る仕切り壁１を示す正面図である。図１６は、図１５の仕切り壁１の第１の動作例を示す図である。図１７は、図１５の仕切り壁１の第２の動作例を示す図である。図１８は、図１５の仕切り壁の第３の動作例を示す図である。
【００７９】
図３〜図５では、１つの光源３０を複数の保持部４Ａ、４Ｂ、４Ｃのうちのいずれかに保持することで射出領域Ｚ１を変更する例について説明した。これに対して、図１５〜１８に示される仕切り壁１は、複数の保持部４Ａ、４Ｂ、４Ｃのそれぞれに保持される複数の光源３０を備える。また、仕切り壁１は、複数の光源３０の間で発光させる光源３０を切り替える制御部１０１を備える。
【００８０】
図１６〜図１８に示すように、仕切り壁１は、制御部１０１によって発光させる光源３０を変更することで、射出領域Ｚ１を変更することができる。
【００８１】
具体的には、図１６に示すように、第１保持部４Ａに保持された光源３０を発光すなわちオンさせ、第２保持部４Ｂおよび第３保持部４Ｃに保持された光源３０を発光させないすなわちオフさせることで、発光面２０ａのうちの上側位置に射出領域Ｚ１を形成することができる。
【００８２】
また、図１７に示すように、第２保持部４Ｂに保持された光源３０を発光させ、第１保持部４Ａおよび第３保持部４Ｃに保持された光源３０を発光させないことで、発光面２０ａのうちの中間位置に射出領域Ｚ１を形成することができる。
【００８３】
また、図１８に示すように、第３保持部４Ｃに保持された光源３０を発光させ、第１保持部４Ａおよび第２保持部４Ｂに保持された光源３０を発光させないことで、発光面２０ａのうちの下側位置に射出領域Ｚ１を形成することができる。以上、一つの光源のみを発光させる例を示したが、複数の光源を発光させることで、出射領域に加えて発光量を変化させることも可能である。
【００８４】
（第９〜第１１の変形例）
図１９は、第９の変形例に係る仕切り壁１を示す正面図である。図２０は、第１０の変形例に係る仕切り壁１を示す正面図である。図２１は、第１１の変形例に係る仕切り壁１を示す正面図である。
【００８５】
これまでは、発光体３１が下方ｄ１２に向けて光Ｌを射出するように光源３０を保持部４Ａ、４Ｂ、４Ｃに保持する例について説明した。これに対して、図１９に示すように、発光体３１が上方ｄ１１に向けて光Ｌを射出するように光源３０を保持部４Ｂに保持してもよい。また、図２０に示すように、発光体３１が上方ｄ１１に向けて光Ｌを射出するように第１の光源３０を保持部４Ｂに保持し、更に、保持部４Ｂにおける第１の光源３０の下側に、発光体３１が下方ｄ１２に向けて光Ｌを射出するように第２の光源３０を保持してもよい。また、図２１に示すように、発光体３１が右方ｄ２１に向けて光Ｌを射出するように、フレーム１０の左側壁部１５に光源３０を保持してもよい。
【００８６】
（第１２、第１３の変形例）
図２２は、第１２の変形例に係る仕切り壁１を示す断面図である。図２３は、図２２の仕切り壁１の拡大断面図である。図２４は、第１３の変形例に係る仕切り壁１を示す正面図である。
【００８７】
これまでは、導光層として空気層８を備えた仕切り壁１の例について説明した。これに対して、図２２に示される仕切り壁１は、導光層としての複数の導光板８０を有する。複数の導光板８０は、保持部４Ａ、４Ｂ、４Ｃに干渉しないように上下方向ｄ１に間隔を空けて配置されている。各導光板８０は、図示しない導光板８０の保持部によって透過拡散板６０と反射板５０との間に保持されている。導光板８０の保持部の具体的な態様は特に限定されず、左右方向ｄ２に延びるレール状の部材等の種々の態様を選択することができる。
【００８８】
図２３に示される例において、導光板８０は、一対の主面８０ａ，８０ｂと、一対の主面８０ａ，８０ｂ間に位置する側面と、を有した板状の部材である。一方の主面が出光面８０ａをなし、他方の主面が裏面８０ｂをなしている。上端に位置する側面は、光Ｌの入光面８０ｃとして機能する。主面８０ａ，８０ｂは、典型的には平面視矩形形状となるが、これに限定されない。例えば、図２４に示すように、主面８０ａ，８０ｂは、平面視略半円形状となってもよい。
【００８９】
図２３に示すように、光源３０から射出された光Ｌは、入光面８０ｃから導光板８０に入射し、反射とりわけ全反射することで導光板８０内を進む。導光板８０は、導光板８０内を進む光Ｌの進行方向を変化させる取出要素８１を含んでいる。導光板８０内を進む光Ｌは、取出要素８１によって進行方向を変化させること、とりわけ散乱することで、導光板８０の一対の主面８０ａ，８０ｂに全反射臨界角度未満の入射角度で入射して導光板８０から出射することが可能となる。
【００９０】
取出要素８１で進行方向を変えられた光は、一対の主面８０ａ，８０ｂのいずれかを介して、導光板８０から出射する。導光板８０の出光面８０ａに対面して、透過拡散板６０が設けられている。導光板８０の出光面８０ａから出射した光Ｌは、透過拡散板６０に入射し、透過拡散板６０によって化粧シート７０に向けて拡散される。導光板８０の裏面８０ｂに対面して、反射板５０が設けられている。裏面８０ｂから出射された光Ｌは、反射板５０によって反射され、導光板８０および透過拡散板６０側に向かう。
【００９１】
取出要素８１として、導光板８０内を進む光の進行方向を変更し得る種々の要素を用いることができる。図２３に示される例において、取出要素８１は、裏面８０ｂに形成された凹部である。
【００９２】
図２２〜図２４に示される例によれば、導光板８０で光Ｌの進行方向を制御することで、空気層８と比較して高精度に射出領域Ｚ１の位置および範囲を制御することができる。
【００９３】
（第１４の変形例）
図２５は、第１４の変形例に係る仕切り壁１を示す断面図である。これまでは、仕切り壁１で仕切られる第１の空間Ｓ１および第２の空間Ｓ２のうち、第１の空間Ｓ１にのみ光Ｌを射出する仕切り壁１の例について説明した。これに対して、図２５に示される仕切り壁１は、第１の空間Ｓ１および第２の空間Ｓ２の双方に光Ｌを射出する。
【００９４】
図２５に示される例において、仕切り壁１は、反射板５０のかわりに、フレーム１０の後壁部１２に保持された第２の空間Ｓ２側の透過拡散板６０ａおよび化粧シート７０ａを備える。すなわち、図２５に示される例において、発光面２０ａの反対面は、第２の空間Ｓ２側の第２の発光面２０ａである。第２の空間Ｓ２側の透過拡散板６０ａおよび化粧シート７０ａの構成は、既述した第１の空間Ｓ１側の透過拡散板６０および化粧シート７０の構成と同様である。
【００９５】
図２５に示される例によれば、両面発光を行うことがで、第１の空間Ｓ１と第２の空間Ｓ２の双方を照明することができる。
【００９６】
（第１５の変形例）
図２６は、第１５の変形例に係る仕切り壁１を示す正面図である。図２６に示される例において、発光面２０ａの或る位置からの出射光量は、当該位置よりも上方ｄ１１すなわち一軸方向の一方に位置する発光面２０ａの他の或る位置からの出射光量よりも少ない。図２６では、出射光量を射出領域Ｚ１の濃淡で示しており、出射光量が多い領域を濃く表している。
【００９７】
このような出射光量の分布は、例えば導光板８０の取出要素８１の上下方向ｄ１における分布を制御して、取出要素８１に起因した光散乱能の程度を上下方向ｄ１に沿って調節することで実現することができる。また、導光板８０の替わりに空気層８を用いる場合には、透過拡散板６０の拡散特性の上下方向ｄ１における分布を制御することで、図２６に示される出射光量の分布を実現することができる。また、面積率が面内で変化する光吸収性材料のパターン層を設けることでも、出射光量の分布を実現することができる。
【００９８】
図２６に示される例によれば、射出領域Ｚ１の下方ｄ１２側の縁部において、射出領域Ｚ１と非射出領域Ｚ２との間における光の継ぎ目を目立たなくすることができる。これにより、空間Ｓ１の雰囲気を効果的に高めることができる。
【００９９】
（第１６、第１７の変形例）
図２７は、第１６の変形例に係る仕切り壁１を示す断面図である。図２８は、第１７の変形例に係る仕切り壁１を示す断面図である。
【０１００】
導光板８０の他の例として、取出要素は、図２７に示すように、導光板本体８２に積層された光散乱層８３とすることができる。図２７に示された例において、導光板８０は、導光板本体８２および光散乱層８３を有している。光散乱層８３は、バインダーとして機能する支持層８３ａと、支持層８３ａ内に分散した光散乱要素８３ｂと、を有している。支持層８３ａは、可視光透過性を有した樹脂から形成され得る。光散乱要素８３ｂは、反射、屈折、回折等によって、光散乱層８３内を進行する光の進行方向を変化させる機能を有している。光散乱要素８３ｂは、支持層８３ａと異なる屈折率を有していてもよいし、金属等の光反射性を有した材料によって形成されていてもよい。光散乱要素８３ｂの具体例として、金属化合物、気体を含有した多孔質物質、金属化合物を周囲に保持した樹脂ビーズ、白色微粒子、気泡、周囲と屈折率が異なる粒子が、例示され得る。図２７に示された例において、出光面８０ａ及び裏面８０ｂでの反射により導光板８０内を進む光Ｌは、光散乱層８３内で光散乱要素８３ｂと衝突することで進行方向を変化させ、その後、導光板８０から出射することが可能となる。
【０１０１】
さらに他の例として、図２８に示すように、取出要素として機能する光散乱要素８３ｂが、導光板本体８２内に分散していてもよい。図２８に示された導光板８０では、導光板本体６２内を進む光Ｌが、光散乱要素８３ｂに衝突することで散乱し、導光板８０から出射することができる。
【０１０２】
（第１８〜第２２の変形例）
上述した以外にも、保持部には、以下に示される種々の変形例を適用することができる。
【０１０３】
図２９および図３０は、それぞれ、第１８の変形例に係る仕切り壁１の一部を示す側面側の断面図および正面側の断面図である。図２９および図３０に示すように、保持部４は、基板３２の縁部が載置される板状の載置部４１１で構成されていてもよい。このような構成によれば、凹部４ａを有する場合よりも保持部の構成を簡素化することができ、また、光源３０の差し込みを簡便化することができる。
【０１０４】
図３１および図３２は、それぞれ、第１９の変形例に係る仕切り壁１の一部を示す側面側の断面図および正面側の断面図である。図３１および図３２に示すように、保持部４は、基板３２の縁部が載置される板状の載置部４１１と、基板３２に対して載置部４１１の反対側に位置し、基板３２を載置部４１１側に押圧する押圧部４１２、４１３とを備えていてもよい。図３１および図３２に示される例において、押圧部４１２、４１３は、上下方向ｄ１に貫通するネジ溝４１２ａが設けられた板状のネジ取付部４１２と、ネジ溝４１２ａに嵌められたネジ４１３とを有する。図３１および図３２に示される例では、ネジ４１３によって基板３２を載置部４１１側に押圧することで、光源３０を振動しないように安定的に保持することができる。また、ネジ４１３の回転量を調節して基板３２側へのネジ４１３の突出量を調節することで、基板３２の厚みが変わっても光源３０を保持することができる。
【０１０５】
図３３および図３４は、それぞれ、第２０の変形例に係る仕切り壁１の一部を示す側面側の断面図および正面側の断面図である。図３３および図３４に示すように、保持部４は、図３１および図３２と同様の載置部４１１と、押圧部４１４、４１５とを備えていてもよい。図３３および図３４に示される例において、押圧部４１４、４１５は、基板３２に対して載置部４１１の反対側に位置する板状のバネ取付部４１４と、基板３２の上面を押圧するようにバネ取付部４１４に取り付けられた板バネ４１５とを有する。図３３および図３４に示される例では、板バネ４１５の弾性力によって基板３２を載置部４１１側に押圧することで、光源３０を振動しないように安定的に保持することができる。また、板バネ４１５が弾性変形することで、基板３２の厚みが変わっても光源３０を保持することができる。
【０１０６】
図３５および図３６は、それぞれ、第２１の変形例に係る仕切り壁１の一部を示す側面側の断面図および正面側の断面図である。図３５および図３６に示すように、保持部４は、図３１および図３２と同様の載置部４１１と、押圧部４１６とを備えていてもよい。図３５および図３６に示される例において、押圧部４１６は、部分的にフレーム１０の外部に露出するように基板３２に対して載置部４１１の反対側に位置し、基板３２の上面に対して接触および離反する方向に回転可能にフレーム１０に支持されたクランプ４１６で構成されている。なお、図３５および図３６に示される矢印は、クランプ４１６が基板３２の上面に接触するとき、すなわち、光源３０を保持するときのクランプ４１６の回転方向である。図３５および図３６に示される例では、フレーム１０の外部でクランプ４１６を操作することで、光源３０を振動しないように安定的に保持することができる。
【０１０７】
図３７は、第２２の変形例に係る仕切り壁１の一部を示す斜視図である。図２９〜図３６に示した例のいずれの場合においても、図３７に示すように、保持部４には、基板３２に設けられた端子３３に電気的に接続する端子４２が設けられていてもよい。このような構成によれば、図６に示した例と同様に、保持部４に光源３０を装着するのと同時に、光源３０を電源に接続することができる。
【０１０８】
また、仕切り壁１を軽量化し、保持部の材料使用量を抑制するため、上述したすべての例において、保持部４は、基板３２の長手方向の全範囲ではなく、基板３２の長手方向の一部の範囲に亘って設けられていることが好ましい。また、発光パターンを妨げないようにするため、上述したすべての例において、保持部４は可視光透過性を有することが好ましい。
【０１０９】
仕切り壁１は、組立キットとして取り扱われても良い。すなわち、仕切り壁１の少なくとも一部が、組立キットとして流通または販売されてもよい。また、仕切り壁１は、複数が組み合わされてもよく、柱や他の部材と組み合わせてもよい。また、仕切り壁は、床から天井までの高さ全体を仕切ったり、一つの空間の全幅を仕切ったりするように用いられてもよい。
【０１１０】
なお、以上において一実施の形態に対する具体例および変形例を説明してきたが、当然に、複数の例を適宜組み合わせて適用することも可能である。
【符号の説明】
【０１１１】
１  仕切り壁
２０ａ  発光面
２０  発光装置
３０  光源
３１  発光体
３２  基板
４Ａ、４Ｂ、４Ｃ  保持部
４ａ  凹部
４  移動機構
４２  端子
８  空気層
８０  導光板
９１  遮光フィルタ
９２  半透過膜
９３  色フィルタ
１０１  制御部
【図１】
2020125626.tif 000003
【図２】
2020125626.tif 000004
【図３】
2020125626.tif 000005
【図４】
2020125626.tif 000006
【図５】
2020125626.tif 000007
【図６】
2020125626.tif 000008
【図７】
2020125626.tif 000009
【図８】
2020125626.tif 000010
【図９】
2020125626.tif 000011
【図１０】
2020125626.tif 000012
【図１１】
2020125626.tif 000013
【図１２】
2020125626.tif 000014
【図１３】
2020125626.tif 000015
【図１４】
2020125626.tif 000016
【図１５】
2020125626.tif 000017
【図１６】
2020125626.tif 000018
【図１７】
2020125626.tif 000019
【図１８】
2020125626.tif 000020
【図１９】
2020125626.tif 000021
【図２０】
2020125626.tif 000022
【図２１】
2020125626.tif 000023
【図２２】
2020125626.tif 000024
【図２３】
2020125626.tif 000025
【図２４】
2020125626.tif 000026
【図２５】
2020125626.tif 000027
【図２６】
2020125626.tif 000028
【図２７】
2020125626.tif 000029
【図２８】
2020125626.tif 000030
【図２９】
2020125626.tif 000031
【図３０】
2020125626.tif 000032
【図３１】
2020125626.tif 000033
【図３２】
2020125626.tif 000034
【図３３】
2020125626.tif 000035
【図３４】
2020125626.tif 000036
【図３５】
2020125626.tif 000037
【図３６】
2020125626.tif 000038
【図３７】
2020125626.tif 000039